(57)【要約】使用上の便利さを提供し、構造を簡素化することができるティルティング可能な個人携帯端末機が開示される。ティルティング可能な個人携帯端末機は、第１本体と、第１本体に重なるように配置される第２本体と、一端は第１本体に回転可能に連結され、他端は第２本体に転換スライド移動及び回転可能に連結されるリンク連結部と、リンク連結部に対する第２本体の転換スライド移動を、選択的に第１本体に対する前記リンク連結部の回転運動に転換する転換手段と、リンク連結部が第１本体に対して回転するように選択的に弾性力を提供するアクチュエータとを含み、第２本体の転換スライド移動によるリンク連結部の回転運動が一定以上進行すると、アクチュエータの弾性力によってリンク連結部が第１本体に対して回転し、第２本体が第１本体に対してスライド移動及びティルティング（ｔｉｌｔｉｎｇ）移動を連続的に行ってティルティング開放される。【選択図】図２
2015505407.tif 000002
【特許請求の範囲】
【請求項１】
第１本体と、
前記第１本体に重なるように配置される第２本体と、
一端は前記第１本体に回転可能に連結され、他端は前記第２本体に転換スライド移動及び回転可能に連結されるリンク連結部と、
前記リンク連結部に対する前記第２本体の転換スライド移動を、選択的に前記第１本体に対する前記リンク連結部の回転運動に転換する転換手段と、
前記リンク連結部が前記第１本体に対して回転するように選択的に弾性力を提供するアクチュエータとを含み、
前記第２本体の前記転換スライド移動による前記リンク連結部の回転運動が一定以上進行すると、前記アクチュエータの弾性力によって前記リンク連結部が前記第１本体に対して回転し、前記第２本体が前記第１本体に対してスライド移動及びティルティング（ｔｉｌｔｉｎｇ）移動を連続的に行ってティルティング開放されることを特徴とするティルティング可能な個人携帯端末機。
【請求項２】
前記リンク連結部が、
一端は前記第１本体に回転可能に連結され、他端は前記第２本体に転換スライド移動及び回転可能に連結される第１リンク部材と、
一端は前記第１本体に回転可能に連結され、他端は前記第２本体に転換スライド移動及び回転可能に連結される第２リンク部材とを含む請求項１に記載のティルティング可能な個人携帯端末機。
【請求項３】
前記転換手段が、
前記第２本体に結合され、前記第１リンク部材及び前記第２リンク部材の各他端が転換スライド移動及び回転可能に連結される転換ガイド部と、
前記第２リンク部材に形成される傾斜リフト部とを含み、
前記第２本体の転換スライド移動時に、前記転換ガイド部は、前記傾斜リフト部に沿ってリフトされ、前記第１リンク部材を前記第１本体に対して回転させる請求項２に記載のティルティング可能な個人携帯端末機。
【請求項４】
前記第２リンク部材の他端に接近及び離隔する方向に前記転換ガイド部上に直線移動可能に提供されるガイド部材と、
前記ガイド部材が前記第２リンク部材の他端に接近する方向に移動するように弾性力を提供する弾性部材とを更に含み、
前記第２本体が、弾性的に転換スライド移動する請求項３に記載のティルティング可能な個人携帯端末機。
【請求項５】
前記転換ガイド部には、第１ガイドスロット及び第２ガイドスロットが形成され、
前記第１リンク部材の他端が、前記第１ガイドスロットに転換スライド移動及び回転可能に連結され、前記第２リンク部材の他端が、前記第２ガイドスロットに転換スライド移動及び回転可能に連結された請求項３に記載のティルティング可能な個人携帯端末機。
【請求項６】
前記転換ガイド部には、前記傾斜リフト部に対応する傾斜案内部が形成され、
前記第２本体の転換スライド移動時に、前記傾斜案内部は前記傾斜リフト部に沿って移動する請求項３に記載のティルティング可能な個人携帯端末機。
【請求項７】
一端が前記第１リンク部材の他端に回転可能に連結され、他端が前記第２リンク部材の他端に回転可能に連結される連動部材を更に含む請求項３に記載のティルティング可能な個人携帯端末機。
【請求項８】
一端が前記第１リンク部材に回転可能に連結され、他端が前記第２リンク部材に回転可能に連結される連結リンク部材を更に含み、
前記第２リンク部材の前記一端が、前記第１本体に、回転されると同時にスライド移動可能に連結され、
前記第１リンク部材の回転時に、前記連結リンク部材によって、前記第２リンク部材と前記第１リンク部材との間隔が所定の距離内で制限される請求項２に記載のティルティング可能な個人携帯端末機。
【請求項９】
前記アクチュエータが、
前記リンク連結部の一端に連結される駆動カム部材と、
転換点を有する従動カムプロファイルが形成され、前記駆動カム部材に弾性的に接触して相互作用する従動カム部材とを含み、
前記第２本体の閉状態が、前記駆動カム部材と前記従動カム部材との間の拘束力によって一時的に維持され、
前記転換スライド移動による前記リンク連結部の回転運動によって前記駆動カム部材が前記転換点を超えると、前記リンク連結部が前記第１本体に対して弾性的に回転する請求項１に記載のティルティング可能な個人携帯端末機。
【請求項１０】
前記リンク連結部が、前記第１本体に対して回転するように弾性力を提供するティルティングスプリングを更に含む請求項１に記載のティルティング可能な個人携帯端末機。
【請求項１１】
前記第１本体には拘束突起が設けられ、
前記第２本体には、ティルティング開放時に前記拘束突起が拘束される拘束溝が形成された請求項１に記載のティルティング可能な個人携帯端末機。
【発明の詳細な説明】
【技術分野】
【０００１】
本発明は、ティルティング可能な個人携帯端末機に係り、より詳細には、使用上の便利さを提供することができ、構造を簡素化することができるティルティング可能な個人携帯端末機に関する。
【背景技術】
【０００２】
近年、個人携帯端末機は、誰でも手軽に携帯可能であり、どこでも自由に使用することができる利便性により使用が普遍化されている実情である。
【０００３】
このような個人携帯端末機は、外形や作動方式によって、一般に、バー（ｂａｒ）型個人携帯端末機、フリップ型（ｆｌｉｐ−ｔｙｐｅ）個人携帯端末機、フォルダー型（ｆｏｌｄｅｒ−ｔｙｐｅ）個人携帯端末機、スライド型（ｓｌｉｄｉｎｇ−ｔｙｐｅ）個人携帯端末機などに区分することができる。その他にも、最近は、第１本体に対して第２本体が所定の角度でティルティング（ｔｉｌｔｉｎｇ）可能なようにしたティルティング型個人携帯端末機が提示されている。
【０００４】
また、最近は、第１本体に対して第２本体が所定の角度でティルティング（ｔｉｌｔｉｎｇ）可能なようにしたティルティング型個人携帯端末機が提示されている。即ち、最近は、端末機を机や棚などに据え置いた状態で、第１本体に対してティルティングされた第２本体のディスプレイ部を通じて各種映像ファイル及び情報を楽に確認できるようにし、比較的長時間にわたって各種情報を確認する際にもディスプレイ部の方向性を一定に維持することができるティルティング型個人携帯端末機に関する開発が行われている。
【０００５】
従来知られているティルティング型個人携帯端末機は、第２本体が第１本体に対してスライディング開放された後、第２本体のスライド移動が完了する地点（略第２本体の下端部）を中心として、第２本体が第１本体に対して回転してティルティングされるように構成されている。
【０００６】
しかし、既存のティルティング型個人携帯端末機は、第２本体のスライド移動が完了する地点を中心として第２本体が回転してティルティングが具現されるように構成されることによって、第２本体のスライド開放時に外部に露出する第１本体の上面の面積が非常に制限的であるという問題点があり、そのため、第１本体の露出される上面に提供できるキーパッド及びディスプレイ部のような各種付加手段を、狭い面積で設置するしかないという問題点があり、独創的なデザイン設計が難しいという問題点がある。
【０００７】
また、既存のティルティング型個人携帯端末機は、別途のスライド操作及びティルティング操作によって、第１ボディーに対して第２ボディーがティルティングされるように構成されるため、操作が煩雑かつ不便であるという問題点がある。
【０００８】
これによって、最近は、構造を簡素化することができ、使用上の便利さを提供することができるティルティング型個人携帯端末機に関する様々な検討が行われている。
【発明の概要】
【発明が解決しようとする課題】
【０００９】
本発明は、使用上の便利さを提供することができるティルティング可能な個人携帯端末機を提供する。
【００１０】
特に、本発明は、使用者の簡単な開放操作によって第２本体をティルティング開放させることができるティルティング可能な個人携帯端末機を提供する。
【００１１】
また、本発明は、構造を簡素化することができ、空間活用性及び設計自由度を向上させることができるティルティング可能な個人携帯端末機を提供する。
【課題を解決するための手段】
【００１２】
上述した本発明の目的を達成するための本発明の好ましい実施形態によれば、ティルティング可能な個人携帯端末機は、第１本体と、第１本体に重なるように配置される第２本体と、一端は第１本体に回転可能に連結され、他端は第２本体に転換スライド移動及び回転可能に連結されるリンク連結部と、リンク連結部に対する第２本体の転換スライド移動を、選択的に第１本体に対する前記リンク連結部の回転運動に転換する転換手段と、リンク連結部が第１本体に対して回転するように選択的に弾性力を提供するアクチュエータとを含み、第２本体の転換スライド移動によるリンク連結部の回転運動が一定以上進行すると、アクチュエータの弾性力によってリンク連結部が第１本体に対して回転し、第２本体が第１本体に対してスライド移動及びティルティング（ｔｉｌｔｉｎｇ）移動を連続的に行ってティルティング開放される。
【００１３】
例えば、本発明での第１本体及び第２本体とは、通常の個人携帯端末機において互いに重なるように配置される本体のハウジング（又はケース）自体として理解することができ、又は、各本体と別途に作製されて各本体に結合される各種連結要素（例えば、各種プレート、フレーム）として理解することができる。
【００１４】
前記リンク連結部は、第１本体に対して第２本体がスライド移動及びティルティング移動を連続的に行ってティルティング開放され得るように提供され、要求される条件及び設計仕様に応じて、様々な構造で提供することができる。一例として、リンク連結部は、一端は第１本体に回転可能に連結され、他端は第２本体に転換スライド移動及び回転可能に連結される第１リンク部材と、一端は第１本体に回転可能に連結され、他端は第２本体に転換スライド移動及び回転可能に連結される第２リンク部材とを含んで構成することができる。また、一端は第１リンク部材に回転可能に連結され、他端は第２リンク部材に回転可能に連結される連結リンク部材を含むことができ、第２リンク部材の一端は、第１本体に、回転されると同時にスライド移動可能に連結することができ、第１リンク部材の回転時に、連結リンク部材によって第２リンク部材と第１リンク部材との間隔を所定の距離内で制限することができる。
【００１５】
前記転換手段は、第１リンク部材及び第２リンク部材を回転させるための別途の操作なしに、リンク連結部に対する第２本体の転換スライド移動時に、第１リンク部材及び第２リンク部材が連動されて第１本体に対して所定区間回転できるようにする。参考に、第２本体の転換スライド移動ということは、第２本体が閉鎖された初期状態から一定の区間までのスライド移動を意味し、第２本体をティルティング開放させるための準備段階として理解することができる。一例として、第２本体の転換スライド移動区間は３ｍｍに設定することができる。場合によっては、要求される条件及び設計仕様に応じて、第２本体の転換スライド移動区間の長さを適切に変更することができる。
【００１６】
前記転換手段は、第２本体の転換スライド移動をリンク連結部の回転運動に転換することができる様々な方式及び構造で提供することができる。一例として、転換手段は、第２本体に結合され、第１リンク部材及び第２リンク部材の各他端が転換スライド移動及び回転可能に連結される転換ガイド部と、第２リンク部材に形成される傾斜リフト部とを含むことができ、第２本体の転換スライド移動時に、転換ガイド部は、傾斜リフト部に沿ってリフトされ、第１リンク部材を第１本体に対して回転させることができる。場合によっては、第１リンク部材に傾斜リフト部を形成し、第２本体の転換スライド移動時に第２リンク部材が回転するように構成することも可能である。
【００１７】
前記第２本体の転換スライド移動による転換ガイド部のリフト区間（第１リンク部材の回転区間）は、傾斜リフト部の傾斜を調節することによって多様に変更可能である。一例として、第２本体の閉状態で傾斜リフト部が転換ガイド部の先端に隣接するように配置されてもよい。場合によっては、第２本体の閉状態で傾斜リフト部が転換ガイド部の略中央部又はその他の地点に配置されるように構成してもよく、傾斜リフト部の配置位置を変更して転換ガイド部のリフト区間（高さ）を調節することも可能である。また、転換ガイド部には、傾斜リフト部に対応する傾斜案内部を形成することができ、第２本体の転換スライド移動時に、傾斜案内部は傾斜リフトに沿って移動することができる。
【００１８】
また、前記第２リンク部材の他端に接近及び離隔する方向に転換ガイド部上に直線移動可能に提供されるガイド部材と、ガイド部材が第２リンク部材の他端に接近する方向に移動するように弾性力を提供する弾性部材とを含むことができ、ガイド部材及び弾性部材により、第１リンク部材及び第２リンク部材に対する第２本体の転換スライド移動を弾性的に行うことができる。
【００１９】
前記第１リンク部材及び第２リンク部材の各他端には連動部材を連結することができ、連動部材の一端は、第１リンク部材の他端に回転可能に連結することができ、他端は、第２リンク部材の他端に回転可能に連結することができる。連動部材は、第２本体の転換スライド移動によって第１リンク部材がリフトされるときに第２リンク部材が連動できるようにすることによって、第１リンク部材及び第２リンク部材の初期回転をより円滑に具現できるようにする。
【００２０】
前記アクチュエータは、第２本体の閉状態では、第１本体に対するリンク連結部の回転を一時的に拘束することができ、第２本体の転換スライド移動によるリンク連結部の回転運動が一定以上進行すると、リンク連結部が第１本体に対して回転するように弾性力を提供できる様々な構造で提供することができる。一例として、アクチュエータは、リンク連結部の一端に連結される駆動カム部材と、転換点を有する従動カムプロファイルが形成され、駆動カム部材に弾性的に接触して相互作用する従動カム部材とを含むことができる。第２本体の閉状態は、駆動カム部材と従動カム部材との間の拘束力により一時的に維持することができ、転換スライド移動によるリンク連結部の回転運動によって駆動カム部材が転換点を超えると、リンク連結部が第１本体に対して弾性的に回転することができる。
【００２１】
また、前記リンク連結部には、前記リンク連結部が第１本体に対して回転するように弾性力を提供するティルティングスプリングを連結することができ、駆動カム部材が従動カム部材の転換点を超える場合には、ティルティングスプリングの弾性力、及び駆動カム部材と従動カム部材との間の相互作用力が第１リンク部材に同時に作用して、第１リンク部材が弾性的に回転することができる。
【００２２】
例えば、本発明において、個人携帯端末機（Ｐｅｒｓｏｎａｌ  Ｐｏｒｔａｂｌｅ  Ｄｅｖｉｃｅ）とは、ＰＤＡ（Ｐｅｒｓｏｎａｌ  Ｄｉｇｉｔａｌ  Ａｓｓｉｓｔａｎｔ）、スマートフォン、ハンドヘルド（ｈａｎｄｈｅｌｄ）ＰＣ、ノートブック、タブレットコンピュータ、携帯電話、ＭＰ３プレーヤーなどのような携帯用電気電子装置であって、ＣＤＭＡ（Ｃｏｄｅ  Ｄｉｖｉｓｉｏｎ  Ｍｕｌｔｉｐｌｅｘｉｎｇ  Ａｃｃｅｓｓ）モジュール、ブルートゥースモジュール、赤外線通信モジュール（ＩｒＤＡ）、有無線ＬＡＮカードのような所定の通信モジュールを備えることができ、マルチメディア再生機能を行う所定のマイクロプロセッサを搭載することによって所定の演算能力を備えた端末機を総称する概念として用いることができる。
【発明の効果】
【００２３】
本発明に係るティルティング可能な個人携帯端末機によれば、使用上の便利さを提供することができる。
【００２４】
特に、本発明によれば、使用者の簡単な開放操作によって半自動方式で第２本体をティルティング開放させることができる。即ち、第２本体をティルティング開放させるために別途のスライド操作及びティルティング操作をそれぞれ併行しなければならないという煩雑さなしに、第２本体の転換スライド移動を、転換手段によってリンク連結部の回転運動に転換することができ、リンク連結部の回転によってアクチュエータが作動して、リンク連結部を回転させるための弾性力を提供できるので、単純に第２本体を押し上げる簡単な操作（３ｍｍスライディング操作）によって第２本体をティルティング開放させることができる。
【００２５】
また、本発明によれば、リンク連結部に提供される単純な突起形状の傾斜リフト部によって、第２本体の転換スライド移動を回転運動に転換できるので、構造を簡素化することができ、空間活用性及び設計自由度を向上させることができる。
【００２６】
また、本発明によれば、転換スライド移動による第１リンク部材の回転時に、連動部材によって第２リンク部材も連動して回転できるので、第１リンク部材及び第２リンク部材の初期回転を安定的に保障することができる。
【００２７】
また、本発明によれば、第２本体が、第１本体に対してスライド移動及びティルティング移動を連続的に行ってティルティング開放され得るので、構造を簡素化することができ、開閉操作の便利さを提供することができる。
【００２８】
また、本発明によれば、第１本体に対する第２本体の開放及び閉鎖時に、連結リンク部材による第２リンク部材の一端の引張及び押圧によって、第２本体の開放及び閉鎖時に第２本体の下端部が第１本体の上面に接近する方向に回転できるようにすることによって、第２本体の開閉時に第１本体に対する第２本体の浮き上がり現象（第２本体の下端部と第１本体の上面との離隔間隔）を最小化することができ、動作安定性及び信頼性を向上させることができる。
【００２９】
また、本発明によれば、第１本体に対する第２本体の浮き上がり現象を最小化できるので、開閉動作時に優れた美観を創出することができ、使用上の便利さを提供することができる。即ち、開閉動作時に第１本体と第２本体との離隔間隔が大きいほど美観上良くなく、開閉操作が煩雑且つ不便であるという問題点がある。しかし、本発明によれば、第１本体と第２本体との間の離隔間隔を最小化した状態でティルティング動作を具現できるので、開閉の便利さと共に美麗な外観を創出することができる。
【００３０】
更に、本発明によれば、第２本体が第１本体に対してスライド移動すると同時にティルティング移動できるので、言い換えると、第２本体を第１本体に対して微小な角度に浮かせた状態で開閉できるので、第２本体と第１本体との干渉を未然に防止することができ、各本体間の相互干渉を防止するための別途の構造を採用する必要がない。
【図面の簡単な説明】
【００３１】
【図１】図１は、本発明に係るティルティング可能な個人携帯端末機の構造の一例を示す斜視図である。
【図２】図２は、本発明に係るティルティング可能な個人携帯端末機の構造の一例を示す斜視図である。
【図３】図３は、本発明に係るティルティング可能な個人携帯端末機の構造の一例を示す斜視図である。
【図４】図４は、本発明に係るティルティング可能な個人携帯端末機において、ヒンジ装置の構造の一例を示す断面図である。
【図５】図５は、本発明に係るティルティング可能な個人携帯端末機の作動構造の一例を説明するための図である。
【図６】図６は、本発明に係るティルティング可能な個人携帯端末機の作動構造の一例を説明するための図である。
【図７】図７は、本発明に係るティルティング可能な個人携帯端末機の作動構造の一例を説明するための図である。
【発明を実施するための形態】
【００３２】
以下、添付の図面を参照して、本発明の好ましい実施形態について詳細に説明するが、本発明が実施形態によって制限又は限定されるものではない。参考に、本説明において同一の符号は実質的に同一の要素を指示し、上記の規則下で、他の図面に記載された内容を引用して説明することができ、当業者にとって自明であると判断されるか、又は繰り返される内容は省略することができる。
【００３３】
図１乃至図３は、本発明に係るティルティング可能な個人携帯端末機の構造を示す斜視図であり、図４は、本発明に係るティルティング可能な個人携帯端末機において、ヒンジ装置の構造を示す断面図である。
【００３４】
図１乃至図４に示すように、本発明に係るティルティング可能な個人携帯端末機は、第１本体１０、第２本体２０、リンク連結部２００、転換手段及びアクチュエータ４００を含む。
【００３５】
ここで、第１本体１０及び第２本体２０とは、通常の個人携帯端末機において互いに重なるように配置される本体のハウジング（又はケース）自体として理解することができ、又は、各本体と別途に作製されて各本体に結合される各種連結要素（例えば、各種プレート、フレームなど）として理解することができる。
【００３６】
一例として、前記第１本体１０は、相互協調的に内部に所定の収容空間を形成するフロントケース（図示せず）及びリアケース（図示せず）を含んで構成することができ、前記フロントケースの前面には、各種情報を入力／出力するためのインターフェース部を提供することができる。
【００３７】
例えば、前記インターフェース部１２は、通常の入力装置及び出力装置のうち少なくとも一つを含むことができる。一例として、入力装置は、キーパッド、ボタン、スイッチ、ダイヤル、ポインティング装置、及びタッチパッドのうち少なくとも一つを含むことができ、出力装置は、ディスプレイ、発光素子、及びスピーカーのうち少なくとも一つを含むことができる。その他にも、インターフェース部として、他の通常の付加装置を使用することができ、インターフェース部の種類及び特性によって本発明が制限又は限定されるものではない。例えば、前記インターフェース部として、第１本体１０の前面には、英文標準キーボードであるクワーティ（ＱＷＥＲＴＹ）配列を有するクワーティ式キーパッドを適用できることは勿論であり、数字配列を有するキーパッド又はゲームに関連する信号を入力するためのゲーム用キーパッド及びタッチパッドなどを適切に配置することができる。
【００３８】
前記第２本体２０は、内部に所定の収容空間を形成するフロントケース（図示せず）及びリアケース（図示せず）を含んで構成することができ、前記第２本体２０の前面には、映像情報を出力するためのディスプレイ部などを備えることができる。
【００３９】
前記リンク連結部２００の一端は第１本体１０に回転可能に連結され、他端は第２本体２０に転換スライド移動及び回転可能に連結され、前記第２本体２０は、リンク連結部２００を媒介として第１本体１０に対してスライド移動及びティルティング（ｔｉｌｔｉｎｇ）移動を連続的に行って、所定の軌跡を描きながらティルティング開放され得る。
【００４０】
前記リンク連結部２００は、要求される条件及び設計仕様に応じて、様々な構造で提供することができる。一例として、前記リンク連結部２００は、第１リンク部材２１０、第２リンク部材２２０、及び連結リンク部材２３０を含んで構成することができる。以下では、前記第１本体１０（又は第２本体）の両側部に第１リンク部材２１０、第２リンク部材２２０及び連結リンク部材２３０がそれぞれ一つずつ備えられた例を挙げて説明する。場合によっては、各リンク部材が第１本体の両側部のうち一側にのみ、又は中央部に提供されてもよく、各リンク部材の位置、個数及び離隔間隔によって本発明が制限又は限定されるものではない。なお、リンク連結部を単一のリンク部材で構成することができ、単一のリンク部材によって、第２本体がスライド移動及びティルティング移動を連続的に行って開放されるように構成してもよい。
【００４１】
前記第１リンク部材２１０の一端は第１本体１０に回転可能に連結され、他端は第２本体２０に転換スライド移動及び回転可能に連結される。前記第１リンク部材２１０の形状及び構造は、要求される条件及び設計仕様に応じて多様に変更することができる。一例として、右側面の投影視において、第１リンク部材２１０の右側端部には、第１本体１０と回転結合のための第１軸結合部（図示せず）を形成することができ、第１リンク部材２１０の左側端部には、第２本体２０との回転結合のための第２軸結合部（図示せず）を形成することができ、前記第１軸結合部は、第１リンク部材２１０より相対的に低い位置に回転中心を有するように形成することができる。場合によっては、第１及び（又は）第２軸結合部が、第１リンク部材に対して低い（又は高い）回転中心を有する必要なく、第１リンク部材の一端及び（又は）他端自体が中央部に対して所定の角度で折れ曲がった形態で提供されてもよい。
【００４２】
前記第２リンク部材２２０の一端は第１本体１０にスライド移動及び回転可能に連結され、他端は第２本体２０に転換スライド移動及び回転可能に連結される。第２リンク部材２２０もまた、要求される条件及び設計仕様に応じて、様々な形状及び構造を有するように提供することができる。
【００４３】
なお、前記第２リンク部材２２０の一端は第１本体１０にスライド移動及び回転可能に連結されており、そのために、前記第１本体１０には、第２リンク部材２２０の一端に連結されたリンクピン３１０をスライド移動及び回転可能に収容するためのガイドレール６１２を形成することができる。
【００４４】
以下では、前記第１本体１０にガイドブラケット６００が結合され、前記ガイドレール６１２がガイドブラケット６００に形成された例を挙げて説明する。また、前記第１リンク部材２１０の一端は、ガイドブラケット６００上に回転可能に結合されて、ガイドブラケット６００と共にモジュール化することができる。一例として、前記ガイドブラケット６００は、上部ブラケット６１０及び下部ブラケット６２０を含んで構成することができる。
【００４５】
また、前記第２本体２０の閉状態で、第２リンク部材２２０は、第１リンク部材２１０と共に第１本体１０と第２本体２０との間で略平行に互いに重なるように配置することができる。前述した第１リンク部材２１０と同様に、第２リンク部材２２０は、軸結合部の回転中心を適切に変更するか、又は第２リンク部材２２０の両端部の高さ自体を異ならせることによって閉鎖時に平行に配置することができる。もちろん、場合によっては、第１リンク部材及び第２リンク部材が、第２本体の閉鎖時に第１本体と第２本体との間で傾斜するように配置されてもよいが、第１リンク部材及び第２リンク部材が占める空間を最小化し、端末機をよりスリム化できるように、第２本体の閉鎖時に第１リンク部材及び第２リンク部材が平行に配置されることが好ましい。なお、第１リンク部材及び第２リンク部材が、互いに重ならないように互いに離隔して配置されることも可能である。
【００４６】
更に、本発明において、前記第１リンク部材２１０及び第２リンク部材２２０が、対応する第１本体１０及び第２本体２０に回転可能に連結されるということは、回転ピン、回転突起及び回転軸のような通常の軸手段を媒介として第１リンク部材２１０及び第２リンク部材２２０が対応する第１本体１０及び第２本体２０に回転可能に結合されたものと理解することができる。
【００４７】
前記連結リンク部材２３０の一端は第１リンク部材２１０に回転可能に連結され、他端は第２リンク部材２２０に回転可能に連結される。即ち、前記連結リンク部材２３０は、第１リンク部材２１０と第２リンク部材２２０とを互いに連結し、前記第１本体１０に対する第１リンク部材２１０の回転時に、第２リンク部材２２０の一端を第１リンク部材２１０の一端に接近及び離隔する方向にスライド移動させることによって、開閉時に第１本体１０に対する第２本体２０の浮き上がり現象（第２本体２０の下端部と第１本体１０の上面との離隔間隔）を最小化できるようにする。
【００４８】
前記連結リンク部材２３０の形状及び構造は、要求される条件及び設計仕様に応じて多様に変更することができる。一例として、前記連結リンク部材２３０は、所定の長さを有する直線状に提供することができ、場合によっては、所定の角度で折れ曲がった形状又は円弧状に提供することができる。以下では、直線状に形成された連結リンク部材２３０の一端が、第１リンク部材２１０の一端に隣接するように回転可能に連結され、連結リンク部材２３０の他端と第２リンク部材２２０の一端とが同一の軸手段を媒介として連結されて、互いに同一の回転中心を有するように連結された例を挙げて説明する。場合によっては、連結リンク部材の他端が第２リンク部材の一端と互いに異なる回転中心を有するように構成することも可能である。
【００４９】
このような構成によって、前記第１本体１０に対する第２本体２０のティルティング開放時に、前記第２リンク部材２２０の一端は、連結リンク部材２３０によって引っ張られて、第１リンク部材２１０の一端に隣接する方向に移動することができ、前記第１本体１０に対する第２本体２０の閉鎖時に、前記第２リンク部材２２０の一端は、連結リンク部材２３０によって押圧されて、第１リンク部材２１０の一端から離隔する方向に移動することができる。このように、前記連結リンク部材２３０による第２リンク部材２２０の一端の引張及び押圧によって、第２本体２０の下端部が第１本体１０の上面に隣接して配置された状態で、第２本体２０を第１本体１０に対して開閉することができる。
【００５０】
上述及び図示した本発明の実施例では、リンク連結部２００が、第１リンク部材２１０、第２リンク部材２２０及び連結リンク部材２３０を含んで構成された例を挙げて説明しているが、場合によっては、リンク連結部が、連結リンク部材を排除し、第１及び第２リンク部材のみを含んで構成されてもよく、このとき、第２リンク部材の一端は、第１本体に回転のみ可能なように連結することができる。
【００５１】
前記転換手段は、リンク連結部２００に対する第２本体２０の転換スライド移動を、選択的に第１本体１０に対するリンク連結部２００の回転運動に転換するために提供される。即ち、前記転換手段は、第１リンク部材２１０及び第２リンク部材２２０を回転させるための別途の操作なしに、リンク連結部２００に対する第２本体２０の転換スライド移動時に、第１リンク部材２１０及び第２リンク部材２２０が連動されて第１本体１０に対して所定区間回転できるようにする。
【００５２】
例えば、第２本体２０の転換スライド移動とは、第２本体２０が閉鎖された初期状態（第２本体２０と第１本体１０とが互いに重なるように配置された状態）から一定区間までのスライド移動を意味し、第２本体２０をティルティング開放させるための準備段階として理解することができる。一例として、第２本体２０の転換スライド移動区間は３ｍｍに設定することができる。場合によっては、要求される条件及び設計仕様に応じて、第２本体の転換スライド移動区間の長さを適切に変更することができる。
【００５３】
前記転換手段は、第２本体２０の転換スライド移動をリンク連結部２００の回転運動に転換できる様々な方式及び構造で提供することができる。一例として、前記転換手段は、転換ガイド部３１０及び傾斜リフト部３２０を含んで構成することができる。
【００５４】
前記転換ガイド部３１０は第２本体２０に結合し、前記第１リンク部材２１０及び第２リンク部材２２０の各他端は転換ガイド部３１０上に転換スライド移動及び回転可能に連結することができる。そのために、前記転換ガイド部３１０の先端部には第１ガイドスロットを形成することができ、転換ガイド部３１０の後端部には第２ガイドスロット３１２を形成することができる。前記第１リンク部材２１０の他端は、第１ガイドスロットに転換スライド移動及び回転可能に連結することができ、前記第２リンク部材２２０の他端は、第２ガイドスロット３１２に転換スライド移動及び回転可能に連結することができる。
【００５５】
前記傾斜リフト部３２０は、所定の傾斜を有するように第２リンク部材２２０に形成される。前記第１リンク部材２１０及び第２リンク部材２２０に対する第２本体２０の転換スライド移動時に、転換ガイド部３１０の先端は、傾斜リフト部３２０に沿って移動して上部方向に持ち上げられる。転換ガイド部３１０の先端が上部方向にリフトされることによって、転換ガイド部３１０に連結された第１リンク部材２１０の他端もまた上部方向にリフトされ、結果的に第１リンク部材２１０が第１本体１０に対して回転することができる。
【００５６】
前記第２本体２０の転換スライド移動による転換ガイド部３１０のリフト区間（第１リンク部材２１０の回転区間）は、傾斜リフト部３２０の傾斜を調節することによって多様に変更可能である。また、本発明の実施例では、第２本体２０の閉状態で傾斜リフト部３２０が転換ガイド部３１０の先端に隣接して配置された例を挙げて説明しているが、場合によっては、第２本体の閉状態で傾斜リフト部が転換ガイド部の略中央部又はその他の地点に配置されるように構成してもよく、傾斜リフト部の配置位置を変更して、転換ガイド部のリフト区間を調節することも可能である。
【００５７】
好ましくは、前記転換ガイド部３１０のリフティングをより自然に行うことができるように、前記転換ガイド部３１０には、傾斜リフト部３２０に対応する傾斜案内部３１４を形成することができ、第２本体２０の転換スライド移動時に、傾斜案内部３１４は傾斜リフトに沿って移動することができる。
【００５８】
上述及び図示した本発明の実施例では、第２リンク部材２２０に傾斜リフト部３２０が形成され、第２本体２０の転換スライド移動時に第１リンク部材２１０が回転するように構成された例を挙げて説明しているが、場合によっては、第１リンク部材に傾斜リフト部を形成し、第２本体の転換スライド移動時に第２リンク部材が回転するように構成することも可能である。
【００５９】
また、前記第１リンク部材２１０及び第２リンク部材２２０に対する第２本体２０の転換スライド移動を弾性的に行うことができるように、転換ガイド部３１０にはガイド部材３３０及び弾性部材３４０を提供することができる。
【００６０】
前記ガイド部材３３０は、第２リンク部材２２０の他端に接近及び離隔する方向に転換ガイド部３１０上に直線移動可能に提供される。一例として、前記ガイド部材３３０は、上述した第２ガイドスロット３１２に沿ってスライド移動可能に配置することができる。
【００６１】
前記弾性部材３４０は、ガイド部材３３０が第２リンク部材２２０の他端に接近する方向に移動するように弾性力を提供することができる。一例として、前記弾性部材３４０は、転換ガイド部３１０とガイド部材３３０との間に提供されて、ガイド部材３３０を弾性的に支持することができる。
【００６２】
このような構造は、第２本体２０が第１リンク部材２１０及び第２リンク部材２２０に対して転換スライド移動した後、第２本体２０を操作する力が解除されると、弾性部材３４０の弾性力により第２本体２０が初期位置に復帰できるようにする。
【００６３】
また、前記第１リンク部材２１０及び第２リンク部材２２０の各他端には連動部材３５０を連結することができる。即ち、前記連動部材３５０の一端は、第１リンク部材２１０の他端に回転可能に連結することができ、他端は、第２リンク部材２２０の他端に回転可能に連結することができる。前記連動部材３５０は、第２本体２０の転換スライド移動によって第１リンク部材２１０がリフトされるときに第２リンク部材２２０が連動できるようにすることによって、第１リンク部材２１０及び第２リンク部材２２０の初期回転をより円滑に具現できるようにする。即ち、前記第２本体２０の転換スライド移動による転換ガイド部３１０のリフト時には、第１リンク部材２１０の他端が先にリフトされ得、第１リンク部材２１０の他端がリフトされることによって、連動部材３５０によって第２リンク部材２２０の他端も引っ張られながら、共に回転することができる。
【００６４】
前記アクチュエータ４００は、リンク連結部２００が第１本体１０に対して回転するように選択的に弾性力を提供することができる。即ち、前記アクチュエータ４００は、第２本体２０の閉状態では、第１本体１０に対するリンク連結部２００の回転を一時的に拘束することができ、第２本体２０の転換スライド移動によるリンク連結部２００の回転運動が一定以上進行すると、リンク連結部２００が第１本体１０に対して回転するように弾性力を提供することができる。以下では、アクチュエータ４００が第１リンク部材２１０に選択的に弾性力を提供するように構成された例を挙げて説明する。場合によっては、アクチュエータが第２リンク部材に連結されるか、又は第１及び第２リンク部材にそれぞれ独立に連結されてもよい。
【００６５】
前記アクチュエータ４００は、駆動カム部材４１０及び従動カム部材４２０を含んで構成することができる。
【００６６】
前記駆動カム部材４１０は、第１リンク部材２１０に連結され、第１リンク部材２１０と一体に回転することができる。前記駆動カム部材４１０の両端部には、それぞれ駆動カムプロファイルを形成することができ、駆動カムプロファイルの形状及び構造は、要求される条件及び設計仕様に応じて多様に変更することができる。一例として、前記駆動カムプロファイルは、軸線方向に沿って高さの差を有する谷部と山部が交互に配置された形態で提供することができる。
【００６７】
前記従動カム部材４２０は、転換点を有する従動カムプロファイルを備え、駆動カム部材４１０の両端にそれぞれ提供されて、駆動カム部材４１０に弾性的に接触して相互作用するように構成される。一例として、前記駆動カム部材４１０の両端にはそれぞれハウジング４４０を結合することができ、従動カム部材４２０は、ハウジング４４０の内部に沿って直線移動し、駆動カム部材４１０に接触して相互作用することができる。
【００６８】
前記ハウジング４４０の内部には、従動カム部材４２０が駆動カム部材４１０に接近する方向に移動するように弾性力を提供するスプリング部材４３０を提供することができる。前記スプリング部材４３０の構造及び種類は、要求される条件及び設計仕様に応じて多様に変更することができる。
【００６９】
前記スプリング部材４３０の弾性力による従動カム部材４２０と駆動カム部材４１０との相互作用によって、従動カム部材４２０の直線運動を弾性的な回転運動に変換することができ、この力によって、第１本体１０に対する第１リンク部材２１０の回転を半自動方式で弾性的に具現することができる。
【００７０】
例えば、本発明の実施形態では、駆動カム部材４１０の両端にそれぞれ従動カム部材４２０が備えられた例を挙げて説明しているが、場合によっては、駆動カム部材の一端にのみ従動カム部材を提供してもよい。
【００７１】
なお、前記第２本体２０の転換スライド移動による第１リンク部材２１０の回転が一定以上進行すると、駆動カム部材４１０が従動カム部材４２０の転換点を超えるように構成されており（図６の“Ｌ”参照）、第２本体２０の閉状態は、駆動カム部材４１０と従動カム部材４２０との間の拘束力（駆動カム部材４１０が従動カム部材４２０の転換点を超える前の状態）によって一時的に拘束され得、駆動カム部材４１０が従動カム部材４２０の転換点を超えると、第１リンク部材２１０の残っている回転が自動的に行われ得る。
【００７２】
また、前記リンク連結部２００には、リンク連結部２００が第１本体１０に対して回転するように弾性力を提供するティルティングスプリング５００を連結することができる。以下では、ティルティングスプリング５００が第１リンク部材２１０に連結された例を挙げて説明する。前記ティルティングスプリング５００は、上述したアクチュエータ４００と共に、第１リンク部材２１０の回転に必要な弾性力を提供することができる。好ましくは、前記ティルティングスプリング５００は、アクチュエータ４００による弾性力よりも相対的に小さい弾性力を提供するように構成することができる。したがって、前記ティルティングスプリング５００による弾性力が第１リンク部材２１０に作用しても、第２本体２０の閉状態（第１リンク部材２１０が回転しない状態）は駆動カム部材４１０と従動カム部材４２０との間の拘束力により維持可能であり、駆動カム部材４１０が従動カム部材４２０の転換点を超える場合には、ティルティングスプリング５００の弾性力、及び駆動カム部材４１０と従動カム部材４２０との相互作用力が第１リンク部材２１０に同時に作用して、第１リンク部材２１０が弾性的に回転することができる。
【００７３】
また、前記第１本体１０の上面には拘束突起を設けることができ、第２本体２０の底面端部には、拘束突起を拘束するための拘束溝を形成することができる。前記第２本体２０のティルティング開放時には、拘束突起が拘束溝に拘束されることによって、第２本体２０の過度なティルティングを拘束することができる。
【００７４】
一方、前記ガイドブラケット６００には、第１本体１０に対する第２本体２０の開閉区間のうち少なくとも一部の区間において第２本体２０の移動速度を減速させるためのダンピング力を提供するためのダンピング部（図示せず）を提供することができる。前記ダンピング部は、第２本体２０の開閉時に第２本体２０の移動速度を減速させることができ、第２本体２０の開放又は閉鎖が完了する瞬間の衝撃力を緩衝できるようにする。したがって、第２本体２０の開閉動作を衝撃なしに滑らかに具現することができ、衝撃力による製品の損傷及び破損を防止することができ、寿命を延ばすことができる。
【００７５】
前記ダンピング部によるダンピング力が作用する区間は、要求される条件及び設計仕様に応じて適切に変更可能である。一例として、第２本体２０の開閉区間のうち一部の区間（例えば、第２本体の開放及び閉鎖が完了する地点のうち少なくともいずれか一つに隣接した区間）でのみダンピング力が作用するように構成された例を挙げて説明する。場合によっては、第２本体の開閉区間全体にわたってダンピング部によるダンピング力が作用するように構成してもよい。
【００７６】
前記ダンピング部としては、要求される条件及び設計仕様に応じて、通常の様々なダンピング装置を用いることができ、ダンピング部の構造及び特性によって本発明が制限又は限定されるものではない。一例として、ダンピング部は、摩擦抵抗、流体抵抗及びスプリング抵抗のうち少なくともいずれかを用いてダンピング力を提供するように構成することができる。参考に、流体抵抗を用いたダンピング力は、グリース、シリコーンオイルなどのような通常の作動流体の内部でダンピング部材が移動又は回転することによって発生する粘性抵抗によるダンピング力を含むことができる。
【００７７】
以下では、本発明に係るティルティング可能な個人携帯端末機の作動構造を説明する。
【００７８】
図５乃至図７は、本発明に係るティルティング可能な個人携帯端末機の作動構造を説明するための図である。なお、上述した構成と同一及び同一に相当する部分に対しては、同一又は同一に相当する参照符号を付し、それについての詳細な説明は省略する。
【００７９】
図５に示すように、初期状態（閉状態）では、第１本体１０と第２本体２０とが互いに重なるように配置される。このとき、第１本体１０に対する第１リンク部材２１０の配置状態は、駆動カム部材４１０と従動カム部材４２０との間の拘束力によって一時的に拘束され得る。
【００８０】
その後、図６及び図７に示すように、使用者が第２本体２０を上部方向に押し上げることによって、第１本体１０に対して第２本体２０をティルティング開放させることができる。
【００８１】
即ち、図６に示すように、第２本体２０を単純に押し上げると、第１リンク部材２１０及び第２リンク部材２２０に対して第２本体２０が転換スライド移動することができる。第２本体２０の転換スライド移動によって、転換ガイド部３１０が傾斜リフト部３２０に沿って上部方向にリフトされ得る。転換ガイド部３１０がリフトされることによって、転換ガイド部３１０に連結された第１リンク部材２１０の他端もまた上部方向にリフトされ、結果的に第１リンク部材２１０が第１本体１０に対して回転することができる。
【００８２】
上記のように、第２本体２０の転換スライド移動による第１リンク部材２１０の回転が一定以上進行することによって、駆動カム部材４１０が従動カム部材４２０の転換点を超える場合、アクチュエータ４００による拘束が解除されて、第１リンク部材２１０の回転が許容されると同時に、アクチュエータ４００及びティルティングスプリング５００の弾性力により第１リンク部材２１０が回転することができる。
【００８３】
これによって、図７に示すように、第２本体２０は、リンク連結部２００を媒介として第１本体１０に対してスライド移動及びティルティング（ｔｉｌｔｉｎｇ）移動を連続的に行ってティルティング開放され得る。即ち、第１本体１０に対して第１リンク部材２１０及び第２リンク部材２２０が回転すると同時に、第２本体２０に対して第１リンク部材２１０及び第２リンク部材２２０が回転することによって、第２本体２０が第１本体１０に対してスライド移動すると同時に所定の角度でティルティングされ、所定の軌跡を描きながらティルティング開放され得る。
【００８４】
なお、前記第２本体２０がティルティング開放される間、第２リンク部材２２０の一端は連結リンク部材２３０によって引っ張られ、第１リンク部材２１０の一端に隣接する方向に移動することができる。よって、第２本体２０がティルティング開放される間、第２本体２０の下端部が第１本体１０の上面に接近する方向に回転できるので、ティルティング開放時に第１本体１０に対する第２本体２０の浮き上がり現象（第２本体の下端部と第１本体の上面との離隔間隔）を最小化することができる。
【００８５】
上述したように、本発明の好ましい実施形態を参照して説明したが、当該技術分野における熟練した当業者であれば、下記の特許請求の範囲に記載された本発明の思想及び領域から逸脱しない範囲内で、本発明を多様に修正及び変更できるということを理解できるであろう。
【図１】
2015505407.tif 000003
【図２】
2015505407.tif 000004
【図３】
2015505407.tif 000005
【図４】
2015505407.tif 000006
【図５】
2015505407.tif 000007
【図７】
2015505407.tif 000008
【図６】
2015505407.tif 000009
【国際調査報告】
2015505407.tif 000010
2015505407.tif 000011
2015505407.tif 000012
2015505407.tif 000013